(57)【特許請求の範囲】
【請求項１】
太陽電池の特性である開放電圧の特性と短絡電流の特性とを検出する検出手段と、
前記検出手段による検出結果に基づいて、前記検出手段によって検出された前記短絡電流の特性に基づいた動作制御を行うか、又は前記検出手段によって検出された前記開放電圧の特性に基づいた動作制御を行うかを決定する決定手段と、
前記決定手段によって決定された動作制御を行う動作制御手段と、
を備え、
前記決定手段は、前記検出手段により検出された前記短絡電流が所定の値未満の場合は前記開放電圧の特性に基づいた動作制御を行うことを決定し、前記検出手段により検出された前記短絡電流が前記所定の値以上の場合は前記短絡電流の特性に基づいた動作制御を行う、
ことを特徴とする電子機器。
【請求項２】
前記動作制御手段は、
前記検出手段によって検出された前記短絡電流又は前記開放電圧の特性に応じた動作制御パラメータに基づいて前記動作制御を行う、
ことを特徴とする請求項１に記載の電子機器。
【請求項３】
前記動作制御手段は、
前記短絡電流の値に応じた前記動作制御パラメータを格納した第１のテーブル、又は前記開放電圧の値に応じた前記動作制御パラメータを格納した第２のテーブルに基づいて前記動作制御を行う、
ことを特徴とする請求項２に記載の電子機器。
【請求項４】
前記動作制御手段は、
前記検出手段により検出された前記短絡電流が所定の値未満の場合は、前記第２のテーブルの前記動作制御パラメータに基づいて前記動作制御を行い、
前記検出手段により検出された前記短絡電流が前記所定の値以上の場合は、前記第１のテーブルの前記動作制御パラメータに基づいて前記動作制御を行う、
ことを特徴とする請求項３に記載の電子機器。
【請求項５】
太陽電池の特性である開放電圧の特性と短絡電流の特定とを検出する検出ステップと、
前記検出ステップによって検出された検出結果に基づいて、前記検出ステップによって検出された前記短絡電流の特性に基づいた動作制御を行うか、又は前記検出ステップによって検出された前記開放電圧の特性に基づいた動作制御を行うかを決定する決定ステップと
前記決定ステップによって決定された動作制御を行う動作制御ステップと、
を含み、
前記決定ステップは、前記検出ステップにより検出された前記短絡電流が所定の値未満の場合は前記開放電圧の特性に基づいた動作制御を行うことを決定し、前記検出ステップにより検出された前記短絡電流が前記所定の値以上の場合は前記短絡電流の特性に基づいた動作制御を行う
ことを特徴とする電子機器で実行される制御方法。
【請求項６】
電子機器を制御するコンピュータを、
太陽電池の特性である開放電圧の特性と短絡電流の特性とを検出する検出手段、
前記検出手段によって検出された検出結果に基づいて、前記検出手段によって検出された前記短絡電流の特性に基づいた動作制御を行うか、又は前記検出手段によって検出された前記開放電圧の特性に基づいた動作制御を行うかを決定する決定手段、
前記決定手段によって決定された動作制御を行う動作制御手段として機能させ、
前記決定手段は、前記検出手段により検出された前記短絡電流が所定の値未満の場合は前記開放電圧の特性に基づいた動作制御を行うことを決定し、前記検出手段により検出された前記短絡電流が前記所定の値以上の場合は前記短絡電流の特性に基づいた動作制御を行う
ことを特徴とするプログラム。
【発明の詳細な説明】
【技術分野】
【０００１】
本発明は、太陽電池の特性を利用して動作制御を行う電子機器、制御方法及びプログラムに関する。
【背景技術】
【０００２】
従来より、表示デバイスの屋外視認性をあげるための手段として、環境光を照度センサなどのセンサで検出し環境に応じてＬＣＤ（Ｌｉｑｕｉｄ  Ｃｒｙｓｔａｌ  Ｄｉｓｐｌａｙ）の照度を制御する手法がある。例えば、特許文献１に記載の技術では、照度センサが測定した照度が明るい時ほど、画素値を小さくするようにガンマ補正し、バックライト制御手段は、照度センサが測定した照度が明るいときほど、バックライトの輝度を低下させるように制御する。
また、特許文献２に記載の技術では、太陽電池の短絡電流から明るさを検出し、液晶表示画面の明るさを制御するものである。
【先行技術文献】
【特許文献】
【０００３】
【特許文献１】特開２０１０−１２２４００号公報
【特許文献２】特開平０９−０３７１９６号公報
【発明の概要】
【発明が解決しようとする課題】
【０００４】
しかしながら、上述した特許文献１に記載の技術では、環境光の検出のために、照度センサ等のハードウェアが必須となる。
また、特許文献２に記載の技術では、現実的な照度の領域での検出精度に問題があった。
【０００５】
本発明は、このような状況に鑑みてなされたものであり、環境光検出用のハードウェアを用いずに、環境光を精度よく認識して、電子機器の制御を行うことを目的とする。
【課題を解決するための手段】
【０００６】
前記目的を達成するため、本発明の電子機器の一態様は、
太陽電池の特性である開放電圧の特性と短絡電流の特性とを検出する検出手段と、
前記検出手段による検出結果に基づいて、前記検出手段によって検出された前記短絡電流の特性に基づいた動作制御を行うか、又は前記検出手段によって検出された前記開放電圧の特性に基づいた動作制御を行うかを決定する決定手段と、
前記決定手段によって決定された動作制御を行う動作制御手段と、
を備え、
前記決定手段は、前記検出手段により検出された前記短絡電流が所定の値未満の場合は前記開放電圧の特性に基づいた動作制御を行うことを決定し、前記検出手段により検出された前記短絡電流が前記所定の値以上の場合は前記短絡電流の特性に基づいた動作制御を行う、
ことを特徴とする。
【発明の効果】
【０００７】
本発明によれば、環境光検出用のハードウェアを用いずに、環境光を精度よく認識して、電子機器の制御を行うことができる。
【図面の簡単な説明】
【０００８】
【図１】本発明の一実施形態に係る携帯端末のハードウェアの構成を示すブロック図である。
【図２】検出部における開放電圧及び短絡電流の検出回路を説明する回路構成図である。
【図３】太陽電池の特性（開放電圧の特性）を利用した動作制御を説明するための模式図である。
【図４】太陽電池の特性（短絡電流の特性）を利用した動作制御を説明するための模式図である。
【図５】図１の携帯端末の機能的構成のうち、動作制御処理を実行するための機能的構成を示す機能ブロック図である。
【図６】開放電圧特性設定テーブル及び短絡電流特性設定テーブルの例を示した模式図である。
【図７】図５の機能的構成を有する図１の携帯端末が実行する動作制御処理の流れを説明するフローチャートである。
【発明を実施するための形態】
【０００９】
以下、本発明の実施形態について、図面を用いて説明する。
【００１０】
図１は、本発明の一実施形態に係る携帯端末のハードウェアの構成を示すブロック図である。
携帯端末１は、例えばスマートフォンとして構成される。
【００１１】
携帯端末１は、ＣＰＵ（Ｃｅｎｔｒａｌ  Ｐｒｏｃｅｓｓｉｎｇ  Ｕｎｉｔ）１１と、ＲＯＭ（Ｒｅａｄ  Ｏｎｌｙ  Ｍｅｍｏｒｙ）１２と、ＲＡＭ（Ｒａｎｄｏｍ  Ａｃｃｅｓｓ  Ｍｅｍｏｒｙ）１３と、バス１４と、入出力インターフェース１５と、撮像部１８と、入力部１９と、出力部２０と、記憶部２１と、通信部２２と、ドライブ２３と、を備えている。
【００１２】
ＣＰＵ１１は、ＲＯＭ１２に記録されているプログラム、又は、記憶部２１からＲＡＭ１３にロードされたプログラムに従って各種の処理を実行する。
【００１３】
ＲＡＭ１３には、ＣＰＵ１１が各種の処理を実行する際において必要なデータ等も適宜記憶される。
【００１４】
ＣＰＵ１１、ＲＯＭ１２及びＲＡＭ１３は、バス１４を介して相互に接続されている。このバス１４にはまた、入出力インターフェース１５も接続されている。入出力インターフェース１５には、太陽光パネルモジュール１６、検出部１７、撮像部１８、入力部１９、出力部２０、記憶部２１、通信部２２及びドライブ２３が接続されている。
【００１５】
太陽光パネルモジュール１６は、図示はしないが、ソーラーセル、モジュール、アレイ等から構成される。太陽光パネルモジュール１６は、環境光からの受光で発電し、例えば、図示しない電池パック等へ電力を供給する。また、太陽光パネルモジュール１６からは、開放電圧と、短絡電流が検出可能に構成される。
【００１６】
検出部１７は、太陽光パネルモジュール１６から開放電圧と、短絡電流を検出可能に構成される。
【００１７】
図２は、検出部１７における開放電圧及び短絡電流の検出回路を説明する回路構成図である。
検出部１７の検出回路は、図２に示すように、短絡電流検出回路１０１と、開放電圧検出回路１０２とを備える。短絡電流検出回路１０１及び開放電圧検出回路１０２は、それぞれ、太陽光パネルモジュール１６と、ＣＰＵ１１とに接続しており、スイッチ（ＳＷ１及びＳＷ２）で切り替えることにより、短絡電流検出回路１０１からの信号で短絡電流値を検出し、開放電圧検出回路１０２からの信号で開放電圧値を検出するように構成される。
【００１８】
撮像部１８は、図示はしないが、光学レンズ部と、イメージセンサと、を備えている。
【００１９】
光学レンズ部は、被写体を撮影するために、光を集光するレンズ、例えばフォーカスレンズやズームレンズ等で構成される。
フォーカスレンズは、イメージセンサの受光面に被写体像を結像させるレンズである。ズームレンズは、焦点距離を一定の範囲で自在に変化させるレンズである。
光学レンズ部にはまた、必要に応じて、焦点、露出、ホワイトバランス等の設定パラメータを調整する周辺回路が設けられる。
【００２０】
イメージセンサは、光電変換素子や、ＡＦＥ（Ａｎａｌｏｇ  Ｆｒｏｎｔ  Ｅｎｄ）等から構成される。
光電変換素子は、例えばＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）型の光電変換素子等から構成される。光電変換素子には、光学レンズ部から被写体像が入射される。そこで、光電変換素子は、被写体像を光電変換（撮像）して画像信号を一定時間蓄積し、蓄積した画像信号をアナログ信号としてＡＦＥに順次供給する。
ＡＦＥは、このアナログの画像信号に対して、Ａ／Ｄ（Ａｎａｌｏｇ／Ｄｉｇｉｔａｌ）変換処理等の各種信号処理を実行する。各種信号処理によって、ディジタル信号が生成され、撮像部１８の出力信号として出力される。
このような撮像部１８の出力信号を、以下、「撮像画像のデータ」と呼ぶ。撮像画像のデータは、ＣＰＵ１１や図示しない画像処理部等に適宜供給される。
【００２１】
入力部１９は、各種釦等で構成され、ユーザの指示操作に応じて各種情報を入力する。
出力部２０は、ディスプレイやスピーカ等で構成され、画像や音声を出力する。
記憶部２１は、ハードディスク或いはＤＲＡＭ（Ｄｙｎａｍｉｃ  Ｒａｎｄｏｍ  Ａｃｃｅｓｓ  Ｍｅｍｏｒｙ）等で構成され、各種画像のデータを記憶する。
通信部２２は、インターネットを含むネットワークを介して他の装置（図示せず）との間で行う通信を制御する。
【００２２】
ドライブ２３には、磁気ディスク、光ディスク、光磁気ディスク、或いは半導体メモリ等よりなる、リムーバブルメディア３１が適宜装着される。ドライブ２３によってリムーバブルメディア３１から読み出されたプログラムは、必要に応じて記憶部２１にインストールされる。また、リムーバブルメディア３１は、記憶部２１に記憶されている画像のデータ等の各種データも、記憶部２１と同様に記憶することができる。
【００２３】
このように構成される携帯端末１では、照度センサを搭載せずに、太陽電池を構成する太陽光パネルモジュール１６における太陽電池の特性を用いて、環境光に応じた携帯端末１の動作制御（本実施形態においては、出力部２０の表示出力制御）を行うことができる機能を有する。具体的には、携帯端末１では、太陽光パネルモジュール１６からの短絡電流又は開放電圧の値から照度を換算して、換算した照度に対応する携帯端末１の動作制御（本実施形態においては、出力部２０の表示出力制御）を行う。
【００２４】
ここで、太陽電池の特性を利用した動作制御について説明する。
図３及び図４は、太陽電池の特性を利用した動作制御を説明するための模式図である。
本実施形態においては、太陽電池の特性を、開放電圧と短絡電流の特性から導き出す。
【００２５】
開放電圧の特性は、図３（ａ）及び図３（ｂ）に示すように、線形の特性を示さず、照度が３０００［Ｌｘ］より低い環境下では傾きが大きいものとなる。また、照度が低い場合、定格値が得られないという特性もある。また、開放電圧の特性として、照度が４０００Ｌｘ以上になると飽和し始めたり、コンパレータ等の構成が可能であったり、電流検出ではないのでアンプ等の回路が不要であり消費電力を削減可能であったり等の特性がある。
【００２６】
これに対して、短絡電流の特性は、図４（ａ）及び図４（ｂ）に示すように、光の強さに比例して得られる電流が増えて行き、ほぼ線形（短絡電流は照度に対してリニア）の特性を示すものとなる。また、短絡電流の特性として、微小な電圧差を検出するためアンプの電力が大きくなったり、抵抗での損失分があったり等の特性がある。
【００２７】
即ち、周囲の環境が非常に暗い低照度の環境下の場合は、短絡電流が非常に少なく精度が悪くなるが、開放電圧に関しては照度の低い環境下で線形ではないが傾きが大きく、低照度の環境下でのサンプリングがし易いという特性があることになる。
【００２８】
本実施形態の携帯端末１においては、このような特性を利用して、３０００［Ｌｘ］以下の低照度の環境下は、開放電圧で扱う領域であり、開放電圧の値に基づいて、動作制御を行い、３０００［Ｌｘ］よりも高い照度の環境下は、短絡電流で扱う領域であり、短絡電流の値に基づいて、動作制御を行う。
なお、本実施形態の携帯端末１においては、短絡電流のみを用いずに、開放電圧を用いる理由として、携帯端末１等の電子機器における現実的な利用範囲（〜１０００Ｌｘ）では、開放電圧の方が照度に対して変化が急峻であり、制御の精度を高くでき、短絡電流での制御に比べ、開放電圧での制御の方が、アンプや抵抗での電力損失分が低いことにより消費電力が小さいというメリットもあるからである。
【００２９】
図５は、このような携帯端末１の機能的構成のうち、動作制御処理を実行するための機能的構成を示す機能ブロック図である。
動作制御処理とは、検出部１７からの検出値に基づいて、現在の照度を割り出し、当該照度に応じて表示出力に関する各種パラメータを変更して、表示出力の動作を制御する一連の処理をいう。
【００３０】
動作制御処理を実行する場合には、図５に示すように、ＣＰＵ１１において、回路制御部５１と、検出値取得部５２と、照度判定部５３と、制御値取得部５４と、動作制御部５５と、が機能する。
【００３１】
また、記憶部２１の一領域には、テーブル記憶部７１が設定される。
【００３２】
テーブル記憶部７１には、開放電圧特性設定テーブルと、短絡電流特性設定テーブルのデータが記憶される。
開放電圧特性設定テーブルは、照度／開放電流の特性に基づいて、照度／開放電圧値と、制御値とを対応付けたテーブルである。本実施形態においては、照度／開放電圧値と、ＬＣＤと、ＯＬＥＤ（Ｏｒｇａｎｉｃ  Ｌｉｇｈｔ  Ｅｍｉｔｔｉｎｇ  Ｄｉｏｄｅ  Ｄｉｓｐｌａｙ）の制御値とが対応付けられたテーブルである。
短絡電流特性設定テーブルは、照度／短絡電流の特性に基づいて、照度／短絡電流値と、制御値とを対応付けたテーブルである。本実施形態においては、照度／短絡電流値と、ＬＣＤと、ＯＬＥＤ（Ｏｒｇａｎｉｃ  Ｌｉｇｈｔ  Ｅｍｉｔｔｉｎｇ  Ｄｉｏｄｅ  Ｄｉｓｐｌａｙ）である出力部２０の制御値とが対応付けられたテーブルである。
各テーブルには、ＯＬＥＤであれば駆動電圧（駆動電圧値で輝度が変わる）、γパラメータ、電流駆動幅の調整データなど、またＬＣＤであればバックライト制御、γパラメータ等がある。
【００３３】
ここで、開放電圧特性設定テーブル及び短絡電流特性設定テーブルの具体例について説明する。
図６は、開放電圧特性設定テーブル及び短絡電流特性設定テーブルの例を示した模式図である。
開放電圧特性設定テーブルは、具体的には、図６（ａ）に示すように、照度［Ｌｘ］／開放電圧［Ｖ］と、ＬＥＤのバックライトの輝度値（ＬＥＤ−ＢＬ［ｍＡ］）、ＬＣＤ（Ｒ）のγ値（ＬＣＤγ（Ｒ））、ＬＣＤ（Ｇ）のγ値（ＬＣＤγ（Ｇ））、ＬＣＤ（Ｂ）のγ値（ＬＣＤγ（Ｂ））と、ＯＬＥＤの輝度変更を行う駆動電圧値（ＯＬＥＤ電圧［Ｖ］）とが対応付けられている。
短絡電流特性設定テーブルは、具体的には、図６（ｂ）に示すように、照度［Ｌｘ］／短絡電流［ｍＡ］と、ＬＥＤのバックライトの輝度値（ＬＥＤ−ＢＬ［ｍＡ］）、ＬＣＤ（Ｒ）のγ値（ＬＣＤγ（Ｒ））、ＬＣＤ（Ｇ）のγ値（ＬＣＤγ（Ｇ））、ＬＣＤ（Ｂ）のγ値（ＬＣＤγ（Ｂ））と、ＯＬＥＤの輝度変更を行う駆動電圧値（ＯＬＥＤ電圧［Ｖ］）とが対応付けられている。
【００３４】
図５に戻り、回路制御部５１は、検出部１７における短絡電流検出回路と、開放電圧検出回路の切り替えを制御する。具体的には、短絡電流検出回路及び開放電圧検出回路におけるスイッチのＯＮ／ＯＦＦ制御を行う。
回路制御部５１による短絡電流検出回路と、開放電圧検出回路の切り替え制御により、各回路での値を検出可能となる。
【００３５】
回路制御部５１による切り替え制御は、まず、短絡電流検出回路からの検出値を取得可能に切り替え制御し、短絡電流検出回路からの検出値から割り出された照度が所定の値未満（本実施形態においては、３０００［Ｌｘ］未満）であった場合に開放電圧検出回路からの検出値を取得可能に切り替え制御する。そして、動作制御を行ったあとに、再び、短絡電流検出回路からの検出値を取得可能に切り替え制御する。
【００３６】
検出値取得部５２は、回路制御部５１による短絡電流検出回路と、開放電圧検出回路の切り替え制御により、切り替えた回路から検出値を取得する。
【００３７】
照度判定部５３は、テーブル記憶部７１に記憶される短絡電流特性設定テーブルを参照し、短絡電流検出回路から取得した短絡電流の検出値における照度を取得する。
そして、照度判定部５３は、短絡電流検出回路からの検出値から割り出された照度が所定の値未満（本実施形態においては、３０００［Ｌｘ］未満）であったか否かの判定を行う。照度判定部５３による判定結果で、参照するテーブル（開放電圧特性設定テーブル又は短絡電流特性設定テーブル）が変わることになる。
【００３８】
制御値取得部５４は、照度判定部５３による判定結果に基づいて、テーブル記憶部７１の開放電圧特性設定テーブル又は短絡電流特性設定テーブルを参照し、検出値取得部５２が取得した検出値から制御値を取得する。
具体的には、制御値取得部５４は、照度判定部５３による判定結果が３０００［Ｌｘ］未満であった場合には、取得した開放電圧値に基づいて、開放電圧特性設定テーブルを参照し、３０００［Ｌｘ］よりも上であった場合には、取得した短絡電流値に基づいて短絡電流特性設定テーブルを参照して、制御値を取得する。
【００３９】
動作制御部５５は、制御値取得部５４によって取得された制御値に基づいて、携帯端末１の動作制御を行う。具体的には、動作制御部５５は、制御値取得部５４によって取得された制御値で、出力部２０の設定（バックライトの輝度や画質パラメータ）を変更して、表示出力の動作制御を行う。
【００４０】
図７は、図５の機能的構成を有する図１の携帯端末１が実行する動作制御処理の流れを説明するフローチャートである。なお、以下においては、ＬＥＤを出力部２０として構成した場合の例を示す。
動作制御処理は、ユーザによる入力部１９への動作制御処理開始の操作により開始される。
【００４１】
ステップＳ１１において、回路制御部５１は、検出部１７の短絡電流検出回路から検出値を取得可能なように短絡電流検出回路及び開放電圧検出回路を切り替え制御する。詳細には、回路制御部５１は、短絡電流検出回路のスイッチをＯＮし、開放電圧検出回路のスイッチをＯＦＦするように切り替え制御する。
【００４２】
ステップＳ１２において、検出値取得部５２は、回路から検出値を取得する。検出値取得部５２は、短絡電流検出回路から検出値を取得可能なように切り替え制御されているため、検出値として短絡電流値を取得する。
【００４３】
ステップＳ１３において、照度判定部５３は、検出値から照度を取得する。即ち、照度判定部５３は、図６（ｂ）の短絡電流特性設定テーブルを参照し、短絡電流検出回路から取得した短絡電流値における照度を取得する。
【００４４】
ステップＳ１４において、照度判定部５３は、取得した照度が３０００［Ｌｘ］未満であるか否かを判定する。
照度が３０００［Ｌｘ］未満でない場合には、ステップＳ１４においてＮＯと判定されて、処理はステップＳ１８に進む。ステップＳ１８以降の処理は後述する。
照度が３０００［Ｌｘ］未満の場合には、ステップＳ１４においてＹＥＳと判定されて、処理はステップＳ１５に進む。
【００４５】
ステップＳ１５において、回路制御部５１は、検出部１７の開放電圧検出回路から検出値を取得可能なように短絡電流検出回路及び開放電圧検出回路を切り替え制御する。詳細には、回路制御部５１は、短絡電流検出回路のスイッチをＯＦＦし、開放電圧検出回路のスイッチをＯＮするように切り替え制御する。
【００４６】
ステップＳ１６において、検出値取得部５２は、回路から検出値を取得する。検出値取得部５２は、開放電圧検出回路から検出値を取得可能なように切り替え制御されているため、検出値として開放電圧値を取得する。
【００４７】
ステップＳ１７において、制御値取得部５４は、３０００［Ｌｘ］未満であったため、図６（ａ）の開放電圧特性設定テーブルを参照して、開放電圧値に対応する制御値を取得する。制御値取得部５４は、制御値として、バックライトの輝度値と、ＲＧＢのγ値を取得する。
例えば、図６（ａ）の開放電圧特性設定テーブルを参照して、開放電圧の検出値が６．２１［Ｖ］であった場合には、制御値取得部５４は、５［ｍＡ］のバックライト（ＬＥＤ−ＢＬ）の輝度値、Ｒ２のＲ（ＬＣＤγ（Ｒ））のγ値、Ｇ２のＧ（ＬＣＤγ（Ｇ））のγ値、Ｂ２のＢ（ＬＣＤγ（Ｂ））のγ値を取得する。
その後、処理はステップＳ１９に進む。
【００４８】
ステップＳ１８において、制御値取得部５４は、３０００［Ｌｘ］未満でなかったため、図６（ｂ）の短絡電流特性設定テーブルを参照して、短絡電流値に対応する制御値を取得する。制御値取得部５４は制御値として、バックライトの輝度値と、ＲＧＢのγ値を取得する。
例えば、図６（ｂ）の短絡電流特性設定テーブルを参照して、短絡電流値が１８．９２［ｍＡ］であった場合には、制御値取得部５４は、１５［ｍＡ］のバックライト（ＬＥＤ−ＢＬ）の輝度値、Ｒ４のＲ（ＬＣＤγ（Ｒ））のγ値、Ｇ４のＧ（ＬＣＤγ（Ｇ））のγ値、Ｂ４のＢ（ＬＣＤγ（Ｂ））のγ値を取得する。
【００４９】
ステップＳ１９において、動作制御部５５は、制御値取得部５４によって取得された制御値に基づいて、出力部２０のバックライトの輝度の設定を変更して、表示出力の動作制御を行う。
【００５０】
ステップＳ２０において、動作制御部５５は、制御値取得部５４によって取得された制御値に基づいて、出力部２０の画質パラメータの設定を変更して、表示出力の動作制御を行う。
その後、処理はステップＳ１１に戻り、再び照度の取得と、取得した照度に応じた出力部２０の各種設定を行う。
【００５１】
したがって、携帯端末１においては、低照度では開放電圧特性設定テーブルを用い、所定の照度以上では短絡電流特性設定テーブルを用いることにより、低照度から日射環境までをトータルで精度よく検出でき、照度センサを搭載しなくても、照度センサと同レベルの照度に対応した動作制御を行うことができる。
【００５２】
以上のように構成される太陽電池の電力によって動作する携帯端末１は、太陽光パネルモジュール１６と、検出部１７と、動作制御部５５と、を備える。
検出部１７は、太陽光パネルモジュール１６における太陽電池の特性である開放電圧の特性を照度の情報として検出する。
動作制御部５５は、検出部１７によって検出された開放電圧の特性に基づいて、当該携帯端末１の動作制御を行う。
これにより、携帯端末１においては、環境光検出用のハードウェアを用いずに、環境光を精度よく認識して、携帯端末１の制御を行うことができる。
【００５３】
検出部１７は、前記太陽電池の特性である短絡電流の特性を照度の情報として検出する。
動作制御部５５は、検出部１７によって検出された短絡電流の特性に基づいて、当該電子機器の動作制御を行う。
これにより、携帯端末１においては、環境光検出用のハードウェアを用いずに、環境光を精度よく認識して、携帯端末１の制御を行うことができる。
【００５４】
動作制御部５５は、検出部１７によって検出された短絡電流から、短絡電流の特性又は開放電圧の特性に基づいた携帯端末１の動作制御を行う。
これにより、携帯端末１においては、より正確に環境光に対応した携帯端末１の制御を行うことができる。
【００５５】
動作制御部５５は、検出部１７によって検出された太陽光パネルモジュール１６における太陽電池の特性に応じた携帯端末１の動作制御パラメータに基づいて動作制御を行う。
これにより、携帯端末１においては、より正確に環境光に対応した携帯端末１の制御を行うことができる。
【００５６】
動作制御部５５は、短絡電流の値に応じた携帯端末１の動作制御パラメータを格納した第１のテーブルである短絡電流特性設定テーブルと、開放電圧の値に応じた携帯端末１の動作制御パラメータを格納した第２のテーブルである開放電圧特性設定テーブルに基づいて動作制御を行う。
これにより、携帯端末１においては、より簡単に携帯端末１の制御を行うことができる。
【００５７】
動作制御部５５は、検出部１７により検出された短絡電流が所定の値未満の場合は、第２のテーブルである開放電圧特性設定テーブルの携帯端末１の動作制御パラメータに基づいて動作制御を行い、検出部１７により検出された短絡電流が所定の値以上の場合は、第１のテーブルである短絡電流特性設定テーブルの携帯端末１の動作制御パラメータに基づいて動作制御を行う。
これにより、携帯端末１においては、より簡単に環境光を精度よく認識して、携帯端末１の制御を行うことができる。
【００５８】
なお、本発明は、上述の実施形態に限定されるものではなく、本発明の目的を達成できる範囲での変形、改良等は本発明に含まれるものである。
【００５９】
上述の実施形態では、バックライトの輝度や画質パラメータを変更して表示出力の動作制御を行ったが、環境光に対応した種々の携帯端末１の制御を行うように構成でき、例えば、外部機器の出力手段の表示制御、携帯端末１もしくは外部照明機器の照明制御、携帯端末１もしくは外部機器の撮像部１８の露出制御、または携帯端末１もしくは外部機器での照射量から換算した紫外線量の報知制御を行うことができる。
詳細には、例えば、１）モバイル機器のキーパッド用バックライトの制御として、検出された周囲の照度が所定の照度より低くなった場合、バックライトを点灯することができ、さらに、点灯中は周囲の照度に応じて、バックライト輝度を制御するように構成することができる。この際の制御は、ディスプレイの表示出力制御とは、明暗の制御が逆になる。
また、２）モバイル機器のカメラ撮影時の露出制御として、検出された照度と他の撮影条件とから、撮像時の露出を制御するように構成することができる。
また、３）室内照明の点灯制御として、モバイル機器と室内照明制御機器との間でデータ通信が可能な状態において、モバイル機器が検出した室内の照度に応じて、室内照明器具の点灯制御を行うように構成することができる。室内の明るさが所定の照度未満の場合に照明を点灯し、所定の明るさ（例えば室内照明の照度以上）の場合には消灯することになる。
また、４）紫外線検出と報知として、照度から換算した有害紫外線の量を検出し、所定の値以上になった場合、警告するように構成することができる。
具体的には、動作制御部５５は、携帯端末１の出力部２０もしくは外部機器の出力手段の表示制御、携帯端末１もしくは外部照明機器の照明制御、携帯端末１もしくは外部機器の撮像部１８の露出制御、または携帯端末１もしくは外部機器での照射量から換算した紫外線量の報知制御を行うように構成することができる。
【００６０】
また、上述の実施形態では、本発明が適用される携帯端末１は、スマートフォンを例として説明したが、特にこれに限定されない。
例えば、本発明は、動作制御処理機能を有する電子機器一般に適用することができる。具体的には、例えば、本発明は、ノート型のパーソナルコンピュータ、プリンタ、テレビジョン受像機、ビデオカメラ、携帯型ナビゲーション装置、携帯電話機、デジタルカメラ、ポータブルゲーム機等に適用可能である。
【００６１】
上述した一連の処理は、ハードウェアにより実行させることもできるし、ソフトウェアにより実行させることもできる。
換言すると、図５の機能的構成は例示に過ぎず、特に限定されない。即ち、上述した一連の処理を全体として実行できる機能が携帯端末１に備えられていれば足り、この機能を実現するためにどのような機能ブロックを用いるのかは特に図５の例に限定されない。
また、１つの機能ブロックは、ハードウェア単体で構成してもよいし、ソフトウェア単体で構成してもよいし、それらの組み合わせで構成してもよい。
【００６２】
一連の処理をソフトウェアにより実行させる場合には、そのソフトウェアを構成するプログラムが、コンピュータ等にネットワークや記録媒体からインストールされる。
コンピュータは、専用のハードウェアに組み込まれているコンピュータであってもよい。また、コンピュータは、各種のプログラムをインストールすることで、各種の機能を実行することが可能なコンピュータ、例えば汎用のパーソナルコンピュータであってもよい。
【００６３】
このようなプログラムを含む記録媒体は、ユーザにプログラムを提供するために装置本体とは別に配布される図１のリムーバブルメディア３１により構成されるだけでなく、装置本体に予め組み込まれた状態でユーザに提供される記録媒体等で構成される。リムーバブルメディア３１は、例えば、磁気ディスク（フロッピディスクを含む）、光ディスク、又は光磁気ディスク等により構成される。光ディスクは、例えば、ＣＤ−ＲＯＭ（Ｃｏｍｐａｃｔ  Ｄｉｓｋ−Ｒｅａｄ  Ｏｎｌｙ  Ｍｅｍｏｒｙ），ＤＶＤ（Ｄｉｇｉｔａｌ  Ｖｅｒｓａｔｉｌｅ  Ｄｉｓｋ），Ｂｌｕ−ｒａｙ（登録商標）  Ｄｉｓｃ（ブルーレイディスク）等により構成される。光磁気ディスクは、ＭＤ（Ｍｉｎｉ−Ｄｉｓｋ）等により構成される。また、装置本体に予め組み込まれた状態でユーザに提供される記録媒体は、例えば、プログラムが記録されている図１のＲＯＭ１２や、図１の記憶部２１に含まれるハードディスク等で構成される。
【００６４】
なお、本明細書において、記録媒体に記録されるプログラムを記述するステップは、その順序に沿って時系列的に行われる処理はもちろん、必ずしも時系列的に処理されなくとも、並列的或いは個別に実行される処理をも含むものである。
【００６５】
以上、本発明のいくつかの実施形態について説明したが、これらの実施形態は、例示に過ぎず、本発明の技術的範囲を限定するものではない。本発明はその他の様々な実施形態を取ることが可能であり、さらに、本発明の要旨を逸脱しない範囲で、省略や置換等種々の変更を行うことができる。これら実施形態やその変形は、本明細書等に記載された発明の範囲や要旨に含まれるとともに、特許請求の範囲に記載された発明とその均等の範囲に含まれる。
【００６６】
以下に、本願の出願当初の特許請求の範囲に記載された発明を付記する。
［付記１］
太陽電池の電力によって動作する電子機器であって、
前記太陽電池の特性である開放電圧の特性を照度の情報として検出する検出手段と、
前記検出手段によって検出された前記開放電圧の特性に基づいて、当該電子機器の動作制御を行う動作制御手段と、
を備えることを特徴とする電子機器。
［付記２］
前記検出手段は、前記太陽電池の特性である短絡電流の特性を照度の情報として検出し、
前記動作制御手段は、前記検出手段によって検出された前記短絡電流の特性に基づいて、当該電子機器の動作制御を行う、
ことを特徴とする付記１に記載の電子機器。
［付記３］
前記動作制御手段は、前記検出手段によって検出された前記短絡電流から、前記短絡電流又は前記開放電圧の特性に基づいた当該電子機器の動作制御を行う、
ことを特徴とする付記２に記載の電子機器。
［付記４］
前記動作制御手段は、
前記検出手段によって検出された前記短絡電流および開放電圧の特性に応じた前記電子機器の動作制御パラメータに基づいて動作制御を行う、
ことを特徴とする付記２又は３に記載の電子機器。
［付記５］
前記動作制御手段は、
前記短絡電流の値に応じた前記電子機器の動作制御パラメータを格納した第１のテーブルと、前記開放電圧の値に応じた前記電子機器の動作制御パラメータを格納した第２のテーブルに基づいて動作制御を行う、
ことを特徴とする付記４に記載の電子機器。
［付記６］
前記動作制御手段は、
前記検出手段により検出された短絡電流が所定の値未満の場合は、前記第２のテーブルの前記電子機器の動作制御パラメータに基づいて動作制御を行い、
前記検出手段により検出された短絡電流が所定の値よりも大きいの場合は、前記第１のテーブルの前記電子機器の動作制御パラメータに基づいて動作制御を行う、
ことを特徴とする付記５に記載の電子機器。
［付記７］
前記動作制御手段は、
前記電子機器もしくは外部機器の表示手段の表示制御、前記電子機器もしくは外部照明機器の照明制御、前記電子機器もしくは外部機器の撮像手段の露出制御、または前記電子機器もしくは外部機器での照射量から換算した紫外線量の報知制御を行う、
ことを特徴とする付記１乃至６のいずれか１つに記載の電子機器。
［付記８］
太陽電池の電力によって動作する電子機器で実行される制御方法であって、
前記太陽電池の特性である開放電圧の特性を照度の情報として検出する検出ステップと、
前記検出ステップによって検出された前記開放電圧の特性に基づいて、当該電子機器の動作制御を行う動作制御ステップと、
を含むことを特徴とする制御方法。
［付記９］
太陽電池の電力によって動作する電子機器を制御するコンピュータを、
前記太陽電池の特性である開放電圧の特性を照度の情報として検出する検出手段、
前記検出手段によって検出された前記開放電圧の特性に基づいて、当該電子機器の動作制御を行う動作制御手段、
として機能させることを特徴とするプログラム。
【符号の説明】
【００６７】
１・・・携帯端末，１１・・・ＣＰＵ，１２・・・ＲＯＭ，１３・・・ＲＡＭ，１４・・・バス，１５・・・入出力インターフェース，１６・・・太陽光パネルモジュール，１７・・・検出部，１８・・・撮像部，１９・・・入力部，２０・・・出力部，２１・・・記憶部，２２・・・通信部，２３・・・ドライブ，３１・・・リムーバブルメディア，５１・・・回路制御部，５２・・・検出値取得部，５３・・・照度判定部，５４・・・制御値取得部，５５・・・動作制御部，７１・・・テーブル記憶部
【図１】
0006596821.tif 000002
【図２】
0006596821.tif 000003
【図３】
0006596821.tif 000004
【図４】
0006596821.tif 000005
【図５】
0006596821.tif 000006
【図６】
0006596821.tif 000007
【図７】
0006596821.tif 000008